(57)【特許請求の範囲】
【請求項１】
顔面に貼着するフェイスマスクを支持するフェイスマスク用補助具であって、
着用者の耳付近から下にある表情筋を被覆する弾性構造体の略Ｖ字帯形状の被覆体と、この被覆体を吊持する弾性構造体のヘアーバンド形状の頭部に周回させて装着するヘアーバンド体で前記フェイスマスクを支持するフェイスマスク用補助具であって、
前記被覆体の両端側部及び前記ヘアーバンド体の側部に両者を接合する接合部が設けてあり、
前記被覆体は、口及び頬を被覆する被覆部と、該被覆部の下方には前記顎下部を被覆する顎下被覆部と、該被覆部を着用者の顔に支持させるための支持部と、該被覆部と支持部との間にある耳穴部とから成り、中央部の幅が顎下部に当接する領域まで広く延びており、
前記ヘアーバンド体は、帯形状又は輪形状で形成されており、
前記被覆体が下顎及び後頭部の先端部通過線に沿うように装着できることを特徴とするフェイスマスク用補助具。
【請求項２】
前記被覆体の中央部の幅が顎下部に当接する領域まで広く延びていることを特徴とする請求項１に記載のフェイスマスク用補助具。
【請求項３】
前記接合部が面ファスナー、フック、ボタン又は粘着性テープから成ることを特徴とする請求項１又は２に記載のフェイスマスク用補助具。
【請求項４】
前記弾性構造体が通気性を有しかつ等方的に伸縮性を有することを特徴とする請求項１〜３のいずれかに記載のフェイスマスク用補助具。
【請求項５】
前記弾性構造体のそれぞれの方向における１００％伸長の応力が、１０ｇ／ｃｍ〜１０００ｇ／ｃｍの範囲内にあることを特徴とする請求項１〜４のいずれかに記載のフェイスマスク用補助具。
【請求項６】
前記弾性構造体が、ＪＩＳ Ｌ １０９６に準拠した１００％伸長回復率で５０％〜１００％であることを特徴とする請求項１〜５のいずれかに記載のフェイスマスク用補助具。
【請求項７】
前記弾性構造体が、ポリウレタン樹脂、ナイロン樹脂、ポリエステル樹脂、シリコン樹脂、ＮＲ、ＮＢＲから選ばれた少なくとも１つの素材から形成されたものであることを特徴とする請求項１〜６のいずれかに記載のフェイスマスク用補助具。
【発明の詳細な説明】
【技術分野】
【０００１】
本発明は、顔面の肌の老化防止や疲れ防止などの美容のために用いるフェイスマスクを被覆して支持すると共に、顔の筋肉、特に表情筋の弛みの矯正、皺の伸展等を予防し改善することができるフェイスマスク用補助具に関する。
【背景技術】
【０００２】
顔面の肌の老化防止などの美容のためにフェイスマスクを顔面に当接して、数十分間貼着することが行われている。このフェイスマスクは、不織布などの基布に、保湿剤などを含む薬剤を塗布又は含浸したものである。
従来のフェイスマスクとして多用されているものは、顔面の全体に適用するフェイスマスクであって、略楕円形状で目と鼻の部分が打ち抜かれたもので、使用時には薬剤層の粘着性によってのみ顔面に貼着するものであるため、数十分間の使用中に、例えば、掃除や洗濯などを行う場合には、その作業中の動作で簡単に剥がれてしまうという欠点があった。そのために、フェイスマスクを貼着している利用者は、横臥したような状態で動くことが困難な状態に置かれ、大変に不自由さを感じている。
【０００３】
上記欠点を解決するものとして、薬剤層が塗布されてなるマスク本体と、該マスク本体の左右に連接されてなる耳掛け部とからなり、該マスク本体の該薬剤層が肌に当接するようにして、顔面の所定の箇所に適用され、該マスク本体が顔面に適用されたとき、左右の耳に係止する耳掛け部を備えた美容マスクが知られている（特許文献１参照）。
また、おとがい部、頬部、及び耳下腺咬筋部を覆うスマスク部と、又は、前頭部、眼窩、眼窩下部及び頬骨部等を覆い密着するマスク部と、マスク部両外端の耳掛け部が一体型を成す雲形形状のフェイスマスクが知られている（特許文献２参照）。
【０００４】
一方、人間は、皮膚及び筋肉組織、特に表情筋が加齢に伴い皮膚の張りや筋肉の弾性を失い、加齢が顔の弛みや皺を発生させる原因となっている。
近年、経済的なゆとりが増えると共に、女性の間では、顔の皮膚の張りや筋肉の弾性の喪失をできる限り少なくして、外見を若く保ち続けたい願望が増大する傾向にある。
図１は人間の顔の筋組織を示す説明図で、この図で顔の筋肉と加齢に伴うしわやタルミの関係を説明する。
【０００５】
（ａ）眼輪筋は目の周りを囲んでおり、まぶたを閉じたり開いたりする筋肉で、全体に薄いために素早く動くが、筋力低下は目尻のシワや上まぶたのタルミにつながりやすい。 （ｂ）小頬骨筋は口元を斜めに引き上げる、笑顔づくりに大切な筋肉である。頬のこわばりをなくし、それによって自然な笑顔になるが、この筋肉が衰えると頬にたるみができやすい。（ｃ）大頬骨筋は口角と頬を上げて大きく笑うときに使う筋肉で、これが衰えると鼻の横のしわ、タルミになる。（ｄ）頬筋は上下のアゴの関節から、口の両端に向かって伸びる筋肉で、口角を斜め上に持ち上げる筋肉であるが、この筋肉が老化すると口元がたるみやすくなる。（ｅ）口輪筋は唇を取り囲む筋肉で筋力の衰えは口角の下がった老けた印象を与える口元の原因になる。（ｆ）笑筋は口角を外側に伸ばす筋肉で、エラから口元に伸びており、チャーミングなエクボをつくる。しかし、弾力を失うと口元がだらしなく見えやすくなる。（ｇ）オトガイ筋は唇の下からあごに伸びる筋肉で、筋力が低下すると二重あごになる。
この顔の弛み等の発生を予防及び改善することを目的として、種々の提案がなされている。
【０００６】
例えば、弛みの目立ち易い頬骨の下や目元の筋肉を引き締めることを目的とし、下顎を下顎被覆部５で、頬を頬被覆部６で、そして、頭部を頭部被覆部７で被覆するよう構成された、複雑な形状の被覆体１を下顎と頭頂部との間に装着して、頬骨付近の筋肉を押し上げる頬骨付近押上体２、そして、こめかみ付近の筋肉を押し上げるこめかみ付近押上体３を被覆部６の内側に突出して設けられた美容具が提案されている（特許文献３参照）。
【０００７】
また、頬骨の下や目元の筋肉を引き締めて顔の頭頂部３から外側眼瞼交連部１２近傍にわたる領域を緊張させることを目的とし、特許文献４の図１に示す長手方向両側に各目尻被覆部１３が左右対称に形成された構造の顔面用弛緩予防および改善具１を、下顎と頭頂部との間に装着して、上記耳下腺咬筋部５、外側眼瞼交連部１２、オトガイ部６等に引張力を作用させることができる改善具が提案されている（特許文献４参照）。
また、小じわの防止、老化の防止、肌の張りに優れたシート状化粧料を提供することを目的とし、コエンザイムＱ−１０の油性溶液およびアルファリポ酸に、抗酸化性を有する水溶性コラーゲンペプチドを配合してなる水系配合液を含浸させたフェイスマスクが提案されている（特許文献５参照）。
【０００８】
【特許文献１】特開２００５−１３４８６号
【特許文献２】特開２００４−２６７６９２号
【特許文献３】特開２００７−２０７０９号
【特許文献４】特開２００６−２４７１９５号
【特許文献５】特開２００６−３０６８１９号
【発明の開示】
【発明が解決しようとする課題】
【０００９】
上記特許文献１の美容マスク及び特許文献２のフェイスマスクは、顔面の一部、例えば、下顎部や前頭部に貼着したフェイスマスクを、被覆するマスクに設けた耳掛け部の穴に耳を掛けることでフェイスマスクを支持しようとするもので、顔面の全体に適用するフェイスマスクを支持するものではない。
そして、上記特許文献３の美容具及び特許文献４の改善具は、頬付近の筋肉やオトガイ筋を引き締めることはできても、眼輪筋、小頬骨筋や口輪筋、即ち表情筋全体を引き締めることができない。又、前記美容具及び改善具が下顎と頭頂部付近の部位で装着されているために、顔から外れやすく、そのために美容具を装着した際のフィット感が悪いという問題がある。更に、上記美容具及び改善具は、その構造が複雑なために製造コスト及び作成する作業時間もかかるという問題がある。
【００１０】
上記の特許文献５のフェイスマスクは、長期間に渡って顔に貼り付けることを継続することにより、筋肉の弛み、皺等の予防及び改善効果は期待できるが、フェイスマスクを貼り付け中に体を動かす等の動作をすると、フェイスマスクが剥がれて落下する虞があるために、フェイスマスクが剥がれないように所定時間、利用者は安静な状態を維持しなければならず、利用者にとってフェイスマスクが利用しにくいという問題がある。
【００１１】
本発明は、上記問題を解決するために、顔面に貼着するフェイスマスクが作業中の動作で簡単に剥がれることがなく、そして、フェイスマスクを支持するのが容易にでき、また、耳付近から下にある表情筋を引き締めることで、顔の筋肉の弛みの矯正、皺の伸展等を予防し改善することができるフェイスマスク用補助具を提供することを課題とする。
【課題を解決するための手段】
【００１２】
上記課題を達成するために、請求項１に係る発明のフェイスマスク用補助具は、顔面に貼着するフェイスマスクを支持するフェイスマスク用補助具であって、着用者の耳付近から下にある表情筋を被覆する弾性構造体の略Ｖ字帯形状の被覆体と、この被覆体を吊持する弾性構造体のヘアーバンド形状の頭部に周回させて装着するヘアーバンド体で前記フェイスマスクを支持するフェイスマスク用補助具であって、前記被覆体の両端側部及び前記ヘアーバンド体の側部に両者を接合する接合部が設けてあり、前記被覆体は、口及び頬を被覆する被覆部と、該被覆部の下方には前記顎下部を被覆する顎下被覆部と、該被覆部を着用者の顔に支持させるための支持部と、該被覆部と支持部との間にある耳穴部とから成り、中央部の幅が顎下部に当接する領域まで広く延びており、前記ヘアーバンド体は、帯形状又は輪形状で形成されており、前記被覆体が下顎及び後頭部の先端部通過線に沿うように装着できることを特徴とする。
同様に、請求項２に係る発明のフェイスマスク用補助具は、前記被覆体の中央部の幅が顎下部に当接する領域まで広く延びていることを特徴とする。
請求項３に係る発明のフェイスマスク用補助具は、前記接合部が面ファスナー、フック、ボタン又は粘着性テープから成ることを特徴とする。
請求項４に係る発明のフェイスマスク用補助具は、前記弾性構造体が通気性を有しかつ等方的に伸縮性を有することを特徴とする。
請求項５に係る発明のフェイスマスク用補助具は、前記弾性構造体のそれぞれの方向における１００％伸長の応力が、１０ｇ／ｃｍ〜１０００ｇ／ｃｍの範囲内にあることを特徴とする。
請求項６に係る発明のフェイスマスク用補助具は、前記弾性構造体が、ＪＩＳ Ｌ １０９６に準拠した１００％伸長回復率で５０％〜１００％であることを特徴とする。
請求項７に係る発明のフェイスマスク用補助具は、前記弾性構造体が、ポリウレタン樹脂、ナイロン樹脂、ポリエステル樹脂、シリコン樹脂、ＮＲ、ＮＢＲから選ばれた少なくとも１つの素材から形成されたものであることを特徴とする。
【発明の効果】
【００１３】
本発明のフェイスマスク用補助具は被覆体とヘアーバンド体を備えることで、顔面に貼着するフェイスマスクが作業中の動作で簡単に剥がれることがなく、そして、フェイスマスクを支持するのが容易にでき、また、装着した際のフィット感が大変に良いという格別の効果を奏する。
そして、フェイスマスク用補助具を装着するだけで耳付近から下にある表情筋を引き締めることで、顔の筋肉の弛みの矯正、皺の伸展等を予防し改善することができる。
更に、フェイスマスク用補助具は、簡単な構造であるために製造コストの削減及び作成する作業時間の省力化が図れるものである。
【発明を実施するための最良の形態】
【００１４】
以下、本発明のフェイスマスク用補助具の実施形態の一例を、図２に基づいて説明する。
図２は、本発明の一実施形態のフェイスマスク用補助具１の平面図である。図２Ａは、フェイスマスクを被覆して支持する被覆体１−１の平面図で、図２Ｂは、前記被覆体１−１を吊持するヘアーバンド体１−２の平面図である。
本実施形態のフェイスマスク用補助具１は、通気性を有しかつ等方的に伸縮性を有する弾性構造体、例えば、弾性繊維を主材とする不織布又は織編物から成り、フェイスマスクを被覆して支持する被覆体１−１と該被覆体１−１を吊持して該フェイスマスクを支持するヘアーバンド体１−２から成っている。被覆体１−１がヘアーバンド体１−２に伸張状態で装着され、着用者の耳付近から下にある下顎、口及び頬を支える表情筋に引張力を作用させることができる。
【００１５】
前記被覆体１−１は、前記表情筋を被覆して支持する被覆部１０と、顎下部を被覆して支持する顎下被覆部２０と、該被覆部１０を着用者の顔に支持させるための支持部３０と、被覆体１−１を顔面に装着するのに適切な位置を合わせる耳穴部３１と、前記ヘアーバンド体１−２に接合する接合部４０から構成されている。
前記被覆体１−１の中央部の縦幅が広く、支持部３０の両端部に行くに従い少しずつ狭い形状になっている。本実施形態では、両端部が少しずつ狭くなる形態を示しているが、前記中央部が顎下部に当接する領域まで広く延びて他の幅より広く、該顎下部を被覆できることが重要である。
【００１６】
顎下部とは、図１で示す下顎の線から隠れた裏側の部位を指している。図２Ａに示すように、前記顎下被覆部２０はこの顎下部を被覆するために、その下端部から中心線Ｃに沿って切り込み部２３が設けられており、顎下被覆部２０の右側上面には面ファスナー等から成る第１顎接合部２１が、顎下被覆部２０の左側裏面には面ファスナー等から成る第２顎接合部２２が設けられている。顎下被覆部２０の右側端部を下に、顎下被覆部２０の左側端部を上にして、左右の指先でこの両端部で顎下部を包むようにして第１顎接合部２１と第２顎接合部２２を固定することができる。上記の例では、顎下被覆部２０の右側上面に第１顎接合部２１、顎下被覆部２０の左側裏面に第２顎接合部２２が設けられている例を示したが、第１顎接合部２１を右側裏面に第２顎接合部２２を左側上面に設けても良い。
【００１７】
前記耳穴部３１にはその耳穴部３１と耳の位置を合わせることにより、被覆体１−１を顔面に装着するのに適切な位置を合わせることができる位置合わせ部３１′が備えられている。
前記耳穴部３１から僅かに延びた位置で支持部３０がほぼ水平に切断されている。その切断された端部の両端に中心線Ｃに線対称の位置に面ファスナー等の接合部４０が固着されている。
【００１８】
前記ヘアーバンド体１−２は、図２Ｂに示すように、幅の広い帯形状のヘアーバンド体１−２からなり、そのヘアーバンド体１−２の面上に、中心線Ｃに線対称の位置に面ファスナー等の第１接合部４１、第２接合部４２が固着されている。前記被覆体１−１の接合部４０は、前記ヘアーバンド体１−２の第１接合部４１に結着するために設けられ、前記ヘアーバンド体１−２の第２接合部４２は、帯状体の両端部を結着するために設けられている。
そして、このヘアーバンド体１−２は、被覆体１−１の両端部を図３Ａに示す一点鎖線Ｌに沿って斜め上方向に引っ張り上げて、接合部４０と第１接合部４１同士を接合するので、該被覆体１−１で覆われている表情筋が斜め上方に引っ張られた状態になる。この図に示すように、頭に装着されたヘアーバンド体１−２には、その第１接合部４１が側頭部の中間部に設けられており、該ヘアーバンド体１−２は、第１接合部４１に前記被覆体１−１の接合部４０が接合でき、そして、前記被覆体１−１を斜め上方に引っ張られた状態で維持できる十分な幅を有しているので、該被覆体１−１を吊持している。
なお、上記実施形態では、ヘアーバンド体１−２の形状を帯形状として説明したが、輪形状のものを用いてもよく、該ヘアーバンド体１−２の形状が輪形状であれば、第２接合部４２が必要のないことは明らかである。帯形状又は輪形状のヘアーバンド体１−２が頭部に装着された形状は、何れの形状であってもヘアーバンド形状である。
【００１９】
図３Ａは本発明の一実施形態の被覆体１−１を顔に装着させた側面図である。
点線はフェイスマスク５０を示し、一点鎖線Ｌは、下顎の先端から後頭部の先端に向かって最も長い距離の線で、この一点鎖線Ｌが交差する下顎の先端部Ａ及び後頭部の先端部Ｂを通っていることが分かる。以下、この最も長い距離の線である一点鎖線Ｌを「下顎及び後頭部の先端部通過線」という。被覆体１−１を顔に装着させた際に、図３Ａの側面図が示すように、人間の頭部側面形状は略楕円形であり、前記被覆体１−１がその先端部通過線に沿うように装着されることで、後に詳説するが、耳付近から下にある全ての表情筋が斜め上方に引っ張り上げることができる。
【００２０】
図３Ｂはフェイスマスクの上から一実施形態のフェイスマスク用補助具１を装着させた正面図である。点線はフェイスマスク５０を示している。
顔面に貼着するフェイスマスク５０は、種々のものが適用でき、例えば、不織布に各種成分が含浸されたもの、或いは支持体上に各種成分が含浸されたゲル層が積層されたもの等であり、一般に市販されているフェイスマスクが適用できる。
前記各種成分としても、例えば、顔の弛み、垂れ下がり或いは皺等を低減させるもの、或いは肌に潤い等を与えるもの等が挙げられる。
【００２１】
図４は、前記被覆体１−１によって引っ張り上げられる顔面の筋肉を説明する説明図である。図４に示す符号ａ〜ｇは、図１の筋組織で示した筋肉の符号と一致している。
被覆体１−１を下顎及び後頭部の先端部通過線に沿うように装着することにより、該先端部通過線に対して、斜め上方に引張力Ｆが作用するので、該被覆体１−１に被覆された表情筋である、（ａ）眼輪筋、（ｂ）小頬骨筋（ｃ）大頬骨筋、（ｄ）頬筋、（ｅ）口輪筋、（ｆ）笑筋及び（ｇ）オトガイ筋が斜め上方に引っ張り上げられることが理解できる。図１と図４を対比してみると一層分かるように、被覆体１−１に被覆された表情筋は、耳付近から下にある全ての表情筋が含まれている。
【００２２】
このように被覆体１−１が略Ｖ字帯形状でその幅は中央部の幅が広く、両端部に行くに従い少しずつ狭い形状で、耳付近から下にある全ての表情筋を被覆できる大きさに構成されているので、耳付近から下にある全ての表情筋が斜め上方に引き上げることができる。
そして、被覆体１−１が前記下顎及び後頭部の先端部通過線に沿うように装着することで、前記表情筋が斜め上方に引っ張り上げられ、他の部位に装着するよりも遙かに安定しているので被覆体１−１が顔から外れることがない。そして、接合部４０の取り付け位置を調整することにより、該被覆体１−１を斜め上方に引っ張り上げる引っ張り力を調整できるので、被覆体１−１を装着したフィット感が良好なものとなっている。
【００２３】
なお、被覆体１−１の形状を中央部が広く、両端部である支持部３０の端部に行くに従い少しずつ狭い形状の実施形態を説明したが、前記支持部３０の形状は幅が同一であっても良い。被覆体１−１の形状は、顎下部に当接する中央部が他の幅より広く顎下部を被覆できる幅が必要であり、その幅があることにより、被覆部１０、顎下被覆部２０及び支持部３０が前記表情筋を被覆して該被覆帯１−１を斜め上方に引っ張り上げることができる。
【００２４】
前記被覆体を構成する等方的に伸縮性を有する弾性構造体は、それぞれの方向における１００％伸長の応力が、１０ｇ／ｃｍ〜１０００ｇ／ｃｍの範囲であることが好ましく、１００ｇ／ｃｍ〜９００ｇ／ｃｍの範囲であることがより好ましい。
１００％伸長の応力が、上記範囲内にあれば、顔の筋肉組織を引き上げ易くなる。
尚、１００％伸長の応力は、ＪＩＳ  Ｌ  １０９６に準拠して測定される。
また、前記被覆体を構成する弾性構造体としては、ＪＩＳ  Ｌ  １０９６に準拠した１００％伸長回復率が５０％〜１００％であり、好ましくは６０％〜９０％である。
【００２５】
前記弾性構造体を形成する素材としては、ポリウレタン樹脂、ナイロン樹脂、ポリエステル樹脂、シリコン樹脂、ＮＲ、ＮＢＲ等が挙げられる。前記ポリエステル樹脂としては、例えばポリエチレンテレフタレート（ＰＥＴ）、ポリブチレンテレフタレート（ＰＢＴ）、ポリテトラメチレンテレフタレート（ＰＴＴ）等が挙げられる。
上記の如き各素材を原料として、ＪＩＳ  Ｌ  １０９６に準拠した１００％伸長回復率で５０％〜１００％となるように加工（例えば、不織布の形状、織物の形状、シートの形状、筒編みの形状等）したものを適宜用いることができる。
具体的には、伸縮性ウレタン不織布（ＫＢセーレン株式会社製、商品名「エスパンシオーネ」）等が挙げられる。
【００２６】
次に、フェイスマスク用補助具１を顔面に装着する装着の仕方の一例について説明する。
最初に、輪形状のヘアーバンド体１−２を用いた場合の装着の仕方について説明する。
第１接合部４１を上にして耳が出るようにヘアーバンド体１−２を頭部に装着し、フェイスマスクを顔面に貼着させる。次に、被覆体１−１の耳穴部３１に耳を通して被覆体１−１を耳に引っ掛けて、顎下被覆部２０に設けられた顎のサイズに合わせ第１顎接合部２１と第２顎接合部２２を止める。被覆体１−１の両端部を左右の指先で摘み、斜め上方に引っ張り上げ、フェイスラインから目尻ラインにかけて引っ張り感の感じられる位置で、ヘアーバンド体１−２の第１接合部４１を被覆体１−１の面ファスナー４０に固定する。口角から耳の上部に向かって頬を撫でるようにしてフェイスマスク用補助具１を顔全体に馴染ませる。ヘアーバンド体１−２は、その下端部を上方に持ち上げてフェイスマスク５０の上端部が覆われる位置まで引き下げて該上端部を支持する。
【００２７】
次に、帯形状のヘアーバンド体１−２を用いた場合の装着の仕方について説明する。
最初に、第１接合部４１を上にして耳が出るようにヘアーバンド体１−２を頭部に装着するが、頭のサイズに合わせて面ファスナー４２を固定して、フェイスマスクを顔面に貼着させる。それ以降の装着の仕方は、輪形状のヘアーバンド体１−２と同様なので省略する。
なお、フェイスマスク用補助具１の装着の仕方は、使用者が使いやすい方法で行えば良いもので、任意に選択できるものである。
ところで、上記した第１顎接合部２１、第２顎接合部２２、接合部４０、第１接合部４１、第２接合部４２は、例えば、面ファスナー、フック、ボタン或いは粘着性テープ等から適宜選択することができるが、伸張力の調整のし易さから面ファスナーが好ましい。
【実施例】
【００２８】
以下に利用者にとってフェイスマスク５０とフェイスマスク用補助具１との併用が可能かどうかを調べるために、フェイスマスク５０の上からフェイスマスク用補助具１を装着させた際に、官能評価としてリフトアップ感及び潤い感の善し悪しの評価を行った。
【００２９】
（実施例１）  
被験者１１人の顔に乳液（資生堂製、商品名「エリクシール  シュペリエルＣＥエマルジョン」）を塗布してもらい、該塗布部分に本発明のフェイスマスク用補助具（ＫＢセーレン（株）製、商品名「エスパンシオーネＵＨＯ−１００」で製作したもの）を約１０分間装着して、リフトアップ感及び潤い感の評価を行った。その結果を表１に示した。
【００３０】
（比較例１）
被験者１１人の顔に乳液（資生堂製、商品名「エリクシール  シュペリエルＣＥエマルジョン」）を塗布しただけで、リフトアップ感及び潤い感の評価（官能評価）を行った。その結果を表１に示した。
【００３１】
（実施例２）
被験者１１人の顔にフェイスマスク５０（資生堂製、商品名「ＵＶ−Ｗホワイトフリーザーマスク」）を貼付してもらい、該貼付部分を覆う様に本発明のフェイスマスク用補助具（ＫＢセーレン（株）製、商品名「エスパンシオーネＵＨＯ−１００」で製作したもの）を約１０分間装着して、リフトアップ感及び潤い感の評価（官能評価）を行った。その結果を表２に示した。
【００３２】
（比較例２）
被験者１１人の顔面にフェイスマスク５０（資生堂製、商品名「ＵＶ−Ｗホワイトフリーザーマスク」）を約１０分間貼付しただけで、その後、リフトアップ感及び潤い感の評価（官能評価）を行った。その結果を表２に示した。
【００３３】
【表１】
0005334152.tif 000002
乳液を塗布した後に、本発明のフェイスマスク用補助具を装着することで、リフトアップ感及び潤い感が向上することが判明した。
【００３４】
【表２】
0005334152.tif 000003
フェイスマスク５０を装着して、本発明のフェイスマスク用補助具を装着することで、より一層リフトアップ感及び潤い感が向上することが判明した。
【図面の簡単な説明】
【００３５】
【図１】人間の顔の筋組織を示す説明図。
【図２】フェイスマスク用補助具の平面図。
【図３】フェイスマスク用補助具を顔に装着させた側面図と正面図。
【図４】被覆体によって引っ張り上げられる顔面の筋肉の挙動を説明する説明図。
【符号の説明】
【００３６】
１        フェイスマスク用補助具
１−１    被覆体
１−２    ヘアーバンド体
１０      被覆部
２０      顎下被覆部
２１      第１顎接合部
２２      第２顎接合部
２３      切り込み部
３０      支持部
３１      耳穴部
４０      接合部
４１      第１接合部
４２      第２接合部
５０      フェイスマスク
【図１】
0005334152.tif 000004
【図２】
0005334152.tif 000005
【図３】
0005334152.tif 000006
【図４】
0005334152.tif 000007